(57)【要約】【課題】  インターネット取引の問題は、商品は注文通り送ったが、お金が振り込まれない。あるいは、お金は送金したが、注文通りに商品が届かないといった事例が有ることである。【解決手段】  本発明の虚数を使ったインターネット取引では、商品を注文する側は商品を購入するのに必要な金額の数値xを虚数単位（i）で割り算し得られた数値を「マイナスの虚数単位（-i）付き通貨x円」という虚数の通貨にして送金する。  商品を発送する側は「マイナスの虚数単位（-i）付き通貨x円」という虚数の通貨が振り込まれたことを確認し発送する。  商品を注文した側は、商品を確認後「虚数単位（i）付き通貨１円」という虚数の通貨を送金する。  商品を発送した側は、振り込まれた「マイナスの虚数単位（-i）付き通貨x円」と「虚数単位付き通貨（i）１円」の、二つの虚数の通貨の数値部である、-xiとiとを掛け合わせ実数のxを得て実数の通貨x円とすることで取引は終了する。【選択図】  なし【特許請求の範囲】
【請求項１】
虚数の通貨を使うことを特徴とする、商取引方法。
【請求項２】
前記、請求項１の商取引方法で、インターネット取引や、小切手や為替を使った取引に
虚数、あるいは虚数単位を記載することを特徴とする商取引方法。
【請求項３】
前記、請求項１の商取引方法で、銀行の口座内で、虚数、あるいは虚数単位を使い、虚
数、あるいは虚数単位を有する金額を送金、あるいは入金することを特徴とする商取引方
法。
【請求項４】
前記、請求項３の商取引方法で、銀行の口座内の、金額の数値xを虚数単位（i）で割り
算し、得られた数値を「マイナスの虚数単位（-i）付き通貨x円」あるいは、「マイナス
の虚数単位（-i）付き通貨」という虚数の通貨にすることを特徴とする商取引方法。
【請求項５】
前記、請求項４の商取引方法で、銀行の口座内で、現金を二つの虚数の通貨、例えば、
「マイナスの虚数単位（-i）付き通貨x円」あるいは、「マイナスの虚数単位（-i）付き
通貨」と、「虚数単位（i）付き通貨１円」あるいは、「虚数単位（i）付き通貨」とに分
けたり、逆に、二つの虚数の通貨の数値部を掛け合わせ、一つの実数の通貨、すなわち、
現金にすることを特徴とする商取引方法。
【請求項６】
前記、請求項５の商取引方法で、現金を二つの虚数の通貨に分けた時、この二つの虚数
の通貨には、銀行の自分の口座内で、共通の「虚数の通貨の固有番号」が付けられる。こ
の「虚数の通貨の固有番号」は、認識番号である。この時、二つの虚数の通貨には同じ認
識番号が付けられる。同じ認識番号の二つの虚数の通貨は掛け合わすことで、再び実数の
通貨、すなわち、現金に戻すことができる。認識番号の異なる二つの虚数の通貨を掛け合
せることはできないことを特徴とする商取引方法。
【請求項７】
前記、請求項６の商取引方法で、認識番号を数字とせず、アルファベットなどの文字や
記号とするか、数字とそれらアルファベットを含む文字や記号との組み合わせとすること
を特徴とする商取引方法。
【請求項８】
前記、請求項６の商取引方法で、自分の銀行口座内に虚数の通貨の預金が有る場合、そ
れと認識番号を同じくする、もう一つの虚数の通貨が、どこに有るかは銀行間のインター
ネットで分かるようにしておくことを特徴とする商取引方法。
【請求項９】
前記、請求項６の商取引方法で、本発明の、「マイナスの虚数単位（-i）付き通貨x円」あるいは、「マイナスの虚数単位（-i）付き通貨」を譲渡したり、売買したり、あるいは小切手にしたり、為替にしたりすることはできるが、「虚数単位付き通貨（i）１円」あるいは、「虚数単位付き通貨（i）」を譲渡したり、売買したり、あるいは小切手にしたり、為替にしたりすることはできないことを特徴とする商取引方法。
【発明の詳細な説明】
【技術分野】
【０００１】
本発明は、インターネット取引における決済で、虚数の通貨を使うことを特徴とする、
インターネット取引に関するものである。
【発明の開示】
【発明が解決しようとする課題】
【０００２】
インターネット取引の問題は、商品は注文通り送ったが、お金が振り込まれない。ある
いは、お金は送金したが、注文通りに商品が届かないといった事例が有ることである。
【課題を解決するための手段】
【０００３】
本発明の、虚数を使ったインターネット取引では、商品を注文する側は、商品を購入す
るのに必要な金額の数値xを虚数単位（i）で割り算し、得られた数値を「マイナスの虚数
単位（-i）付き通貨x円」という虚数の通貨にして送金する。
【０００４】
注文を受け商品を発送する側は、「マイナスの虚数単位（-i）付き通貨x円」という虚
数の通貨が振り込まれたことを確認し、商品を発送する。商品を注文した側は、届いた商
品を確認したのち、「虚数単位（i）付き通貨１円」という虚数の通貨を送金する。
【０００５】
商品を発送した側は、振り込まれた「マイナスの虚数単位（-i）付き通貨x円」と「虚
数単位付き通貨（i）１円」の、二つの虚数の通貨の数値部である、-xiとiとを掛け合わ
せ、実数のxを得て、実数の通貨x円とすることで取引は終了する。      
【発明の効果】
【０００６】
本発明の、虚数の通貨を使ったインターネット取引では、商品を注文する側と商品を発
送する側が、双方共に、契約通り実行しないことには利益を得ることができないので、取
引は契約通り行われる。
【発明を実施するための最良の形態】
【０００７】
本発明を請求項６の第六発明で説明する。本発明の、虚数の通貨を使ったインターネッ
ト取引では、商品を注文する側は、銀行の自分の口座内で、商品を購入するのに必要な金
額の数値xを虚数単位（i）で割り算する。
【０００８】
それによって、商品を購入するのに必要なお金は、銀行の自分の口座内で、「虚数単位
付き通貨（i）１円」と、「マイナスの虚数単位（-i）付き通貨x円」の、二つの虚数の通
貨に分けられる。そして、この二つの虚数の通貨には、銀行の自分の口座内で、共通の
「虚数の通貨の固有番号」が付けられる。
【０００９】
このうち、「虚数単位付き通貨（i）１円」の方は自分の口座に残して置き、「マイナ
スの虚数単位（-i）付き通貨x円」の方を、「虚数の通貨の固有番号」と共に、取引相手
の銀行口座に送金する。注文を受け商品を発送する側は、「マイナスの虚数単位（-i）付
き通貨x円」が振り込まれたことを確認し、商品を発送する。
【００１０】
商品を注文した側は、届いた商品を確認したのち、自分の口座に残していた、「虚数単
位（i）付き通貨１円」を、「虚数の通貨の固有番号」と共に送金する。商品を発送した
側は、銀行の自分の口座に振り込まれた、同一の「虚数の通貨の固有番号」を有する、
「マイナスの虚数単位（-i）付き通貨x円」と「虚数単位付き通貨（i）１円」の、二つの
虚数の通貨の、数値部である、-xiとiとを掛け合わせ、実数のxを得て、実数の通貨x円と
することで取引は終了する。
【００１１】
言うまでもなく、例え、銀行の自分の口座に、虚数の通貨が送金されても、虚数の通貨
のままでは引き出すことはできない。虚数の通貨の紙幣も硬貨も無いからである。従って、通貨の持ち逃げといった詐欺行為は生じない。また、虚数の通貨を作るには、実数の通貨が必要なので、商品の持ち逃げといった詐欺行為も生じない。
【００１２】
虚数の通貨の他の応用例としては、振り込め詐欺への対処法が考えられる。詐欺か詐欺
でないのか、確認が取れるまで、一旦、虚数の通貨にして振り込んでおけば、詐欺師に引
き出されることはないので安心である。
【００１３】
本発明の、「虚数の通貨の固有番号」は、銀行の口座内に存在する現金を、二つの虚数
の通貨に分けた時、自動的にその二つの虚数の通貨に付けられる認識番号である。この時
二つの虚数の通貨には同じ認識番号が付けられる。同じ認識番号の二つの虚数の通貨は掛
け合わすことで、再び実数の通貨、すなわち、現金に戻すことができる。認識番号の異な
る二つの虚数の通貨を掛け合わせることはできない。
【００１４】
認識番号は数字でなくともよく、アルファベットなどの文字や記号でもよい。あるいは、数字とそれらアルファベットを含む文字や記号との組み合わせでもよい。つまり、確実に、この二つの虚数の通貨は、元は一つの実数の通貨であり、一つの現金であったということが分かればよいのである。
【００１５】
小切手や為替に虚数の通貨の金額を記載することも可能である。この虚数の通貨の小切
手や為替は、それ単独では現金化することができないので、持ち運びの途中、たとえ紛失
盗難にあっても現金化される心配が無く安全である。
【００１６】
本発明の、「マイナスの虚数単位（-i）付き通貨x円」と書かれた、一枚の虚数の通貨
の小切手や為替を現金化するには、その一枚の虚数の通貨の小切手や為替を銀行に持ち込
んで、虚数の通貨として自分の銀行口座に預金し、銀行の自分の口座内で、同じ認識番号
の虚数の通貨「虚数単位付き通貨（i）１円」と掛け合わせて現金化し、x円を得る。
【００１７】
自分の銀行口座内に虚数の通貨の預金が有る場合、それと認識番号を同じくする、もう
一つの虚数の通貨が、どこに有るかは、銀行間のインターネットで分かるようにしておく。
【００１８】
本発明の、「マイナスの虚数単位（-i）付き通貨x円」あるいは、「マイナスの虚数単
位（-i）付き通貨」を譲渡したり、売買したり、あるいは小切手にしたり、為替にしたり
することはできるが、「虚数単位付き通貨（i）１円」あるいは、「虚数単位付き通貨
（i）」を譲渡したり、売買したり、あるいは小切手にしたり、為替にしたりすることは
できない。
【００１９】
本発明の、「虚数単位付き通貨（i）１円」あるいは、「虚数単位付き通貨（i）」は契
約に従って、必ず送金されなければならない。